(57)【要約】【課題】視野角が向上したヘッドマウント表示装置を提供する。【解決手段】ヘッドマウント表示装置は、平面部及び前記平面部から伸びた曲面部を有する表示パネルと、前記平面部及び前記曲面部に表示される映像を示すデータ信号を前記表示パネルに提供する制御部と、前記表示パネルが装着されるケース部とを含み、前記制御部は、前記平面部に比べて前記曲面部に所定の比率で縮小した映像を示すデータ信号を提供し、前記ケース部と使用者の間に配置されるクッション部と、前記ケース部と接続されるストラップ部とをさらに含み、前記ケース部、前記クッション部及び前記ストラップ部は前記表示パネルを基準に前記使用者の視点を定義する。【選択図】  図３
2019120929.tif 000002
【特許請求の範囲】
【請求項１】
平面部及び前記平面部から伸びた曲面部を有する表示パネルと、
前記平面部及び前記曲面部に表示される映像を示すデータ信号を前記表示パネルに提供する制御部と、
前記表示パネルが装着されるケース部とを含み、
前記制御部は、前記平面部に比べて前記曲面部に所定の比率で縮小した映像を示すデータ信号を提供する、ヘッドマウント表示装置。
【請求項２】
前記ケース部と使用者の間に配置されるクッション部と、
前記ケース部と接続されるストラップ部とをさらに含み、
前記ケース部、前記クッション部及び前記ストラップ部は前記表示パネルを基準に前記使用者の視点を定義する、請求項１に記載のヘッドマウント表示装置。
【請求項３】
前記表示パネルを基準に使用者の視点を測定するセンサーをさらに含む、請求項１に記載のヘッドマウント表示装置。
【請求項４】
前記曲面部は、第１方向において前記平面部の両側に配置された第１曲面部を含み、
前記制御部は、前記第１曲面部において前記第１方向に縮小した映像を示すデータ信号を提供する、請求項１に記載のヘッドマウント表示装置。
【請求項５】
前記制御部は、前記第１曲面部において前記第１方向に垂直な第２方向に縮小した映像を示すデータ信号を提供する、請求項４に記載のヘッドマウント表示装置。
【請求項６】
前記曲面部は、前記第１方向に垂直な第２方向において前記平面部の両側に配置された第２曲面部をさらに含み、
前記制御部は、前記第２曲面部において前記第２方向に縮小した映像を示すデータ信号を提供する、請求項４に記載のヘッドマウント表示装置。
【請求項７】
前記制御部は、前記第２曲面部において前記第１方向に縮小した映像を示すデータ信号を提供する、請求項６に記載のヘッドマウント表示装置。
【請求項８】
前記第１曲面部及び前記第２曲面部は前記平面部のコーナー部で互いに離隔している、請求項６に記載のヘッドマウント表示装置。
【請求項９】
前記平面部のコーナー部は使用者によって視認されない、請求項８に記載のヘッドマウント表示装置。
【請求項１０】
前記第１曲面部及び前記第２曲面部は互いに連結される、請求項６に記載のヘッドマウント表示装置。
【請求項１１】
前記制御部は、前記平面部から遠くなるほど次第に縮小した映像を示すデータ信号を提供する、請求項１に記載のヘッドマウント表示装置。
【請求項１２】
前記曲面部全体に対する前記比率はＡ／Ｌであり、
Ａは曲面部の前記第１方向への長さであり、
Ｌは前記曲面部の等価領域の前記第１方向への長さであり、
前記等価領域は前記平面部から伸びた仮想の平面上にあり、使用者の視点で見るとき、前記第１方向において前記曲面部と同じ視野角を提供する、請求項４に記載のヘッドマウント表示装置。
【請求項１３】
前記縮小した映像は、使用者の視点で見るとき、前記平面部から伸びた仮想の平面上の縮小しなかった前記映像と同一である、請求項１に記載のヘッドマウント表示装置。
【請求項１４】
前記曲面部の一側は前記平面部と接する（ｔａｎｇｅｎｔｉａｌ）、請求項４に記載のヘッドマウント表示装置。
【請求項１５】
前記曲面部全体に対する前記比率は下記の式によって決定されたＡ／Ｌである、請求項１４に記載のヘッドマウント表示装置。
2019120929.tif 000014
Ｒは前記曲面部の曲率半径であり、
θは前記曲面部の中心角であり、
Ｄは使用者の視点と前記平面部との間の距離であり、
Ｂは前記視点を通る前記平面部の法線及び前記平面部と前記曲面部が会う地点間の前記第１方向への距離である。
【請求項１６】
前記比率は前記平面部と前記曲面部が接する境界で１であり、前記平面部から遠くなるほど次第に急激に減少する、請求項１４に記載のヘッドマウント表示装置。
【請求項１７】
前記曲面部の他側は使用者の視線に垂直である、請求項１４に記載のヘッドマウント表示装置。
【請求項１８】
前記比率は下記の式によって決定されたＡ／Ｌである、請求項１７に記載のヘッドマウント表示装置。
2019120929.tif 000015
θは前記曲面部の中心角である。
【請求項１９】
前記表示パネルから所定の距離で離隔した光学系をさらに含む、請求項１に記載のヘッドマウント表示装置。
【請求項２０】
前記表示パネルは、使用者を基準に左右方向に配列された左眼用表示領域及び右眼用表示領域を含み、
前記左眼用表示領域及び前記右眼用表示領域はそれぞれ前記平面部及び前記曲面部を含む、請求項１に記載のヘッドマウント表示装置。
【請求項２１】
前記表示パネルは、使用者を基準に左右方向に配列された左眼用表示パネル及び右眼用表示パネルを含み、
前記左眼用表示パネル及び前記右眼用表示パネルはそれぞれ前記平面部及び前記曲面部を含む、請求項１に記載のヘッドマウント表示装置。
【請求項２２】
前記左眼用表示パネル及び前記右眼用表示パネルはその間の突出部によって分離されている、請求項２１に記載のヘッドマウント表示装置。
【請求項２３】
前記左眼用表示パネル及び前記右眼用表示パネルの前記曲面部は、それぞれ前記平面部の左側に配置された左側曲面部及び前記平面部の右側に配置された右側曲面部を含む、請求項２１に記載のヘッドマウント表示装置。
【請求項２４】
前記左側曲面部と前記右側曲面部は左右側方向に同じ長さを有する、請求項２３に記載のヘッドマウント表示装置。
【請求項２５】
前記左側曲面部と前記右側曲面部は左右側方向に互いに異なる長さを有する、請求項２３に記載のヘッドマウント表示装置。
【請求項２６】
前記左眼用表示パネルの左側曲面部は前記左眼用表示パネルの右側曲面部より左右側方向にさらに長く、
前記右眼用表示パネルの右側曲面部は前記右眼用表示パネルの左側曲面部より左右側方向にさらに長い、請求項２５に記載のヘッドマウント表示装置。
【請求項２７】
前記左眼用表示パネルの前記右側曲面部の等価領域及び前記右眼用表示パネルの前記左側曲面部の等価領域は互いに接し、
前記等価領域は前記平面部から伸びた仮想の平面上にあり、前記曲面部と前記等価領域は、前記使用者の視点で見るとき、左右方向に同じ視野角を提供する、請求項２３に記載のヘッドマウント表示装置。
【請求項２８】
前記左眼用表示パネルの前記右側曲面部の等価領域及び前記右眼用表示パネルの前記左側曲面部の等価領域は互いに重なり、
前記等価領域は前記平面部から伸びた仮想の平面上にあり、前記曲面部と前記等価領域は、前記使用者の視点で見るとき、左右方向に同じ視野角を提供する、請求項２３に記載のヘッドマウント表示装置。
【請求項２９】
前記左眼用表示パネル及び前記右眼用表示パネルの前記曲面部はそれぞれ前記平面部の上下側に配置された上下側曲面部を含む、請求項２１に記載のヘッドマウント表示装置。
【請求項３０】
平面部及び前記平面部から伸びた曲面部を有する表示パネルと、
前記表示パネルが装着されるケース部とを含み、
前記曲面部は前記平面部に表示される映像に比べて縮小した映像を表示する、ヘッドマウント表示装置。
【請求項３１】
前記曲面部は前記平面部より高い解像度を有する、請求項３０に記載のヘッドマウント表示装置。
【請求項３２】
前記表示パネルは、
複数のゲートラインと、
前記複数のゲートラインと交差する複数のデータラインと、
前記複数のゲートラインと前記複数のデータラインによって定義される複数の画素とを含み、
前記曲面部に配置された画素の単位面積当たり数が前記平面部に配置された画素の単位面積当たり数より多い、請求項３１に記載のヘッドマウント表示装置。
【請求項３３】
前記曲面部に配置された前記複数のゲートライン間の間隔は前記平面部から遠くなるほど減少する、請求項３２に記載のヘッドマウント表示装置。
【請求項３４】
前記曲面部に配置された前記複数のデータライン間の間隔は前記平面部から遠くなるほど減少する、請求項３２に記載のヘッドマウント表示装置。
【請求項３５】
前記曲面部に配置された前記複数の画素のそれぞれの面積はその位置が前記平面部から遠くなるほど減少する、請求項３２に記載のヘッドマウント表示装置。
【発明の詳細な説明】
【技術分野】
【０００１】
本発明はヘッドマウント表示装置に関し、より詳しくは視野角が向上したヘッドマウント表示装置に関する。
【背景技術】
【０００２】
ヘッドマウント表示装置は頭部に着用する装置であり、表示パネルを含むことができる、または、表示パネルと接続することができる。ヘッドマウント表示装置は拡張現実（ａｕｇｍｅｎｔｅｄ  ｒｅａｌｉｔｙ）又は仮想現実（ｖｉｒｔｕａｌ  ｒｅａｌｉｔｙ）の具現のために使うことができる。拡張現実を具現するためのヘッドマウント表示装置は半透明のディスプレイを介して仮想のグラフィック映像を提供することができる。この場合、使用者は仮想のグラフィック映像と実際の事物を同時に視認することができる。仮想現実を具現するためのヘッドマウント装置は使用者の眼に仮想のグラフィック映像を提供する。使用者は仮想のコンテンツを介して仮想の現実を体験することができる。
【先行技術文献】
【特許文献】
【０００３】
【特許文献１】韓国公開特許第２０１５−００９３０５４号公報
【特許文献２】特開２０１５−１９４７６１号公報
【特許文献３】特開２００５−２９３１９７号公報
【発明の概要】
【発明が解決しようとする課題】
【０００４】
本発明の目的は視野角が向上したヘッドマウント表示装置を提供することにある。
【課題を解決するための手段】
【０００５】
本発明の一実施形態によるヘッドマウント表示装置は、平面部及び前記平面部から伸びた曲面部を有する表示パネルと、前記平面部及び前記曲面部に表示される映像を示すデータ信号を前記表示パネルに提供する制御部と、前記表示パネルが装着されるケース部とを含み、前記制御部は、前記平面部に比べて前記曲面部に所定の比率で縮小した映像を示すデータ信号を提供する。
【０００６】
一実施形態において、前記ケース部と使用者の間に配置されるクッション部と、前記ケース部と接続されるストラップ部とをさらに含むことができ、前記ケース部、前記クッション部及び前記ストラップ部は前記表示パネルを基準に前記使用者の視点を定義してもよい。
【０００７】
一実施形態において、前記表示パネルを基準に前記使用者の視点を測定するセンサーをさらに含んでもよい。
【０００８】
一実施形態において、前記曲面部は、第１方向において前記平面部の両側に配置された第１曲面部を含むことができ、前記制御部は、前記第１曲面部において前記第１方向に縮小した映像を示すデータ信号を提供してもよい。
【０００９】
一実施形態において、前記制御部は、前記第１曲面部において前記第１方向に垂直な第２方向に縮小した映像を示すデータ信号を提供してもよい。
【００１０】
一実施形態において、前記曲面部は、前記第１方向に垂直な第２方向において前記平面部の両側に配置された第２曲面部をさらに含むことができ、前記制御部は、前記第２曲面部において前記第２方向に縮小した映像を示すデータ信号を提供してもよい。
【００１１】
一実施形態において、前記制御部は、前記第２曲面部において前記第１方向に縮小した映像を示すデータ信号を提供してもよい。
【００１２】
一実施形態において、前記第１曲面部及び前記第２曲面部は前記平面部のコーナー部で互いに離隔してもよい。
【００１３】
一実施形態において、前記平面部のコーナー部は前記使用者によって視認されなくてもよい。
【００１４】
一実施形態において、前記第１曲面部及び前記第２曲面部は互いに連結されてもよい。
【００１５】
一実施形態において、前記制御部は、前記平面部から遠くなるほど次第に縮小した映像を示すデータ信号を提供してもよい。
【００１６】
一実施形態において、前記曲面部全体に対する前記比率はＡ／Ｌであり、Ａは曲面部の前記第１方向への長さであり、Ｌは前記曲面部の等価領域の前記第１方向への長さであり、前記等価領域は前記平面部から伸びた仮想の平面上にあり、前記使用者の視点で見るとき、前記第１方向において前記曲面部と同じ視野角を提供してもよい。
【００１７】
一実施形態において、前記縮小した映像は、前記使用者の視点で見るとき、前記平面部から伸びた仮想の平面上の縮小しなかった前記映像と同一であってもよい。
【００１８】
一実施形態において、前記曲面部の一側は前記平面部と接してもよい。
【００１９】
一実施形態において、前記曲面部全体に対する前記比率は下記の式によって決定されたＡ／Ｌであってもよい。
2019120929.tif 000003
Ｒは前記曲面部の曲率半径であり、θは前記曲面部の中心角であり、Ｄは前記使用者の視点と前記平面部との間の距離であり、Ｂは前記視点を通る前記平面部の法線及び前記平面部と前記曲面部が会う地点間の前記第１方向への距離である。
【００２０】
一実施形態において、前記比率は前記平面部と前記曲面部が接する境界で１であり、前記平面部から遠くなるほど次第に急激に減少してもよい。
【００２１】
一実施形態において、前記曲面部の他側は前記使用者の視線に垂直であってもよい。
【００２２】
一実施形態において、前記比率は下記の式によって決定されたＡ／Ｌであってもよい。
2019120929.tif 000004
θは前記曲面部の中心角である。
【００２３】
一実施形態において、前記表示パネルから所定の距離で離隔した光学系をさらに含んでもよい。
【００２４】
一実施形態において、前記表示パネルは、使用者を基準に左右方向に配列された左眼用表示領域及び右眼用表示領域を含むことができ、前記左眼用表示領域及び前記右眼用表示領域はそれぞれ前記平面部及び前記曲面部を含んでもよい。
【００２５】
一実施形態において、前記表示パネルは、使用者を基準に左右方向に配列された左眼用表示パネル及び右眼用表示パネルを含むことができ、前記左眼用表示パネル及び前記右眼用表示パネルはそれぞれ前記平面部及び前記曲面部を含んでもよい。
【００２６】
一実施形態において、前記左眼用表示パネル及び前記右眼用表示パネルはその間の突出部によって分離されていてもよい。
【００２７】
一実施形態において、前記左眼用表示パネル及び前記右眼用表示パネルの前記曲面部は、それぞれ前記平面部の左側に配置された左側曲面部及び前記平面部の右側に配置された右側曲面部を含んでもよい。
【００２８】
一実施形態において、前記左側曲面部と前記右側曲面部は左右側方向に同じ長さを有してもよい。
【００２９】
一実施形態において、前記左側曲面部と前記右側曲面部は左右側方向に互いに異なる長さを有してもよい。
【００３０】
一実施形態において、前記左眼用表示パネルの左側曲面部は前記左眼用表示パネルの右側曲面部より左右側方向にさらに長くてもよく、前記右眼用表示パネルの右側曲面部は前記右眼用表示パネルの左側曲面部より左右側方向にさらに長くてもよい。
【００３１】
一実施形態において、前記左眼用表示パネルの前記右側曲面部の等価領域及び前記右眼用表示パネルの前記左側曲面部の等価領域は互いに接してよく、前記等価領域は前記平面部から伸びた仮想の平面上にあってもよく、前記曲面部と前記等価領域は、前記使用者の視点で見るとき、左右方向に同じ視野角を提供してもよい。
【００３２】
一実施形態において、前記左眼用表示パネルの前記右側曲面部の等価領域及び前記右眼用表示パネルの前記左側曲面部の等価領域は互いに重なってもよく、前記等価領域は前記平面部から伸びた仮想の平面上にあり、前記曲面部と前記等価領域は、前記使用者の視点で見るとき、左右方向に同じ視野角を提供してもよい。
【００３３】
一実施形態において、前記左眼用表示パネル及び前記右眼用表示パネルの前記曲面部はそれぞれ前記平面部の上下側に配置された上下側曲面部を含んでもよい。
【００３４】
本発明の一実施形態によるヘッドマウント表示装置は、平面部及び前記平面部から伸びた曲面部を有する表示パネルと、前記表示パネルが装着されるケース部とを含み、前記曲面部は前記平面部に表示される映像に比べて縮小した映像を表示する。
【００３５】
一実施形態において、前記曲面部は前記平面部より高い解像度を有してもよい。
【００３６】
一実施形態において、前記表示パネルは、複数のゲートラインと、前記複数のゲートラインと交差する複数のデータラインと、前記複数のゲートラインと前記複数のデータラインによって定義される複数の画素とを含むことができ、前記曲面部に配置された画素の単位面積当たり数が前記平面部に配置された画素の単位面積当たり数より多くてもよい。
【００３７】
一実施形態において、前記曲面部に配置された前記複数のゲートライン間の間隔は前記平面部から遠くなるほど減少してもよい。
【００３８】
一実施形態において、前記曲面部に配置された前記複数のデータライン間の間隔は前記平面部から遠くなるほど減少してもよい。
【００３９】
一実施形態において、前記曲面部に配置された前記複数の画素のそれぞれの面積はその位置が前記平面部から遠くなるほど減少してもよい。
【発明の効果】
【００４０】
本発明の一実施形態によると、ヘッドマウント表示装置は向上した視野角を提供することができる。
【００４１】
また、本発明の一実施形態によるヘッドマウント表示装置は、使用者に視認される映像の歪曲を減らすことができる。
【図面の簡単な説明】
【００４２】
【図１】本発明の一実施形態によるヘッドマウント装置のブロック図である。
【図２ａ】本発明の一実施形態によるヘッドマウント装置の斜視図である。
【図２ｂ】本発明の一実施形態によるヘッドマウント装置の使用図である。
【図３】本発明の一実施形態によるヘッドマウント装置の一部を分解した分解斜視図である。
【図４】本発明の一実施形態によるヘッドマウント装置の概略断面図である。
【図５ａ】本発明の一実施形態による表示パネルの概略断面図である。
【図５ｂ】本発明の一実施形態による表示パネルの概略断面図である。
【図６】本発明の一実施形態による表示パネルの正面図及び側面図である。
【図７】本発明の一実施形態による縮小しなかった映像と縮小した映像を示す図である。
【図８】本発明の一実施形態によって曲面部に表示される映像の変換を説明する図である。
【図９】本発明の一実施形態による光学系の概略断面図である。
【図１０】本発明の一実施形態による両眼分離型ヘッドマウント装置の概略斜視図である。
【図１１】本発明の一実施形態による両眼分離型ヘッドマウント装置の概略断面図である。
【図１２】本発明の一実施形態による両眼分離型ヘッドマウント装置の概略断面図である。
【図１３ａ】本発明の一実施形態による両眼統合型表示パネルの概略斜視図である。
【図１３ｂ】本発明の一実施形態による両眼統合型表示パネルの断面図である。
【図１３ｃ】本発明の一実施形態による両眼統合型表示パネルの断面図である。
【図１４】本発明の一実施形態による両眼分離型表示パネルの概略斜視図である。
【図１５ａ】本発明の一実施形態による両眼統合型表示パネルの概略展開図である。
【図１５ｂ】本発明の一実施形態による両眼統合型表示パネルの概略展開図である。
【図１６】本発明の一実施形態による両眼分離型表示パネルの概略展開図である。
【図１７】本発明の一実施形態による表示パネルの一部を拡大した部分拡大図である。
【図１８】図１４のＩＶ−ＩＶ’線に沿って切断した断面図である。
【図１９】本発明の一実施形態による表示パネルの展開図である。
【発明を実施するための形態】
【００４３】
本発明の利点及び特徴、そしてそれらを達成する方法は添付図面に基づいて詳細に後述する実施形態を参照すると明らかになるであろう。しかし、本発明は以下で開示する実施形態に限定されるものではなく、互いに違う多様な形態に具現さできる。ただ、本実施形態は本発明の開示を完全にし、本発明が属する技術分野で通常の知識を有する者に発明の範疇を完全に知らせるために提供するものであり、本発明は請求範囲の範疇によって定義されるだけである。したがって、いくつかの実施形態において、よく知られた工程段階、よく知られた素子構造及びよく知られた技術は本発明があいまいに解釈されることを避けるために具体的に説明しない。明細書全般にわたって同じ参照符号は同一構成要素を指す。
【００４４】
空間的に相対的な用語である下（ｂｅｌｏｗ）、下（ｂｅｎｅａｔｈ）、下部（ｌｏｗｅｒ）、上（ａｂｏｖｅ）、上部（ｕｐｐｅｒ）などは、図面に示しているように、一つの素子又は構成要素と他の素子又は構成要素との相関関係を容易に記述するために使用し得る。空間的に相対的な用語は、図面に示されている方向に加え、使用時又は動作時の素子の互いに異なる方向を含む用語と理解しなければならない。例えば、図面に示されている素子を覆す場合は、他の素子の下（ｂｅｌｏｗ）又は下（ｂｅｎｅａｔｈ）に配置されていると記述された素子は、他の素子の上（ａｂｏｖｅ）に置かれることができる。したがって、例示的な用語である下は、下と上の方向のいずれも含むことができる。素子は、他の方向にも配向されることができ、よって空間的に相対的な用語は配向によって解釈されることができる。
【００４５】
本明細書で使用した用語は実施形態を説明するためのもので、本発明を制限しようとするものではない。本明細書で、単数型は、文句で特に言及しない限り、複数型も含む。明細書で使う含む（ｃｏｍｐｒｉｓｅｓ）及び／又は含む（ｃｏｍｐｒｉｓｉｎｇ）は言及された構成要素、段階、動作及び／又は素子が一つ以上の他の構成要素、段階、動作及び／又は素子の存在又は追加を排除しないことを意味する。
【００４６】
他の定義がない限り、本明細書で使われる全ての用語（技術的及び科学的用語を含む）は本発明が属する技術分野で通常の知識を有する者に共通して理解可能な意味として使用可能であろう。また、一般的に使われる辞書に定義されている用語は、特に定義しない限り、理想的に又は過度に解釈されてはいけない。
【００４７】
図１は本発明の一実施形態によるヘッドマウント表示装置の構成を示すブロック図である。本発明によるヘッドマウント表示装置は、映像処理部１０、表示部２０、制御部３０、通信部４０、記憶部５０及び使用者入力部６０を含むことができる。
【００４８】
映像処理部１０が遂行する映像処理プロセスの種類は限定されない。例えば、所定の信号を各特性別に信号に分配するデマルチプレックシング（ｄｅ−ｍｕｌｔｉｐｌｅｘｉｎｇ）、映像信号の映像フォーマットに対応するデコーディング（ｄｅｃｏｄｉｎｇ）、インタレース（ｉｎｔｅｒｌａｃｅ）方式の映像信号をプログレッシブ（ｐｒｏｇｒｅｓｓｉｖｅ）方式に変換するデインタレーシング（ｄｅ−ｉｎｔｅｒｌａｃｉｎｇ）、映像画質改善のためのノイズ減少（ｎｏｉｓｅ  ｒｅｄｕｃｔｉｏｎ）、ディテール強化（ｄｅｔａｉｌ  ｅｎｈａｎｃｅｍｅｎｔ）、フレームリフレッシュレート（ｆｒａｍｅ  ｒｅｆｒｅｓｈ  ｒａｔｅ）変換などを含むことができ、エンコードされたソース映像の映像フォーマットに対応してソース映像をデコードするデコーダー（図示せず）及びデコードされたソース映像をフレーム単位で記憶するフレームバッファー（図示せず）を含むことができる。
【００４９】
映像処理部１０はこのような多くの機能を統合させたＳＯＣ（ｓｙｓｔｅｍ−ｏｎ−ｃｈｉｐ）、又はこのような各プロセスを独自に遂行することができる個別的な構成がプリント基板上に装着されることによって映像処理ボード（図示せず）に具現されてヘッドマウント表示装置に内蔵されることができる。
【００５０】
映像処理部１０は、通信部４０から受信する映像信号を含む放送信号及び映像供給源（図示せず）から受けた映像信号を含むソース映像に対して既設定の多様な映像処理プロセスを遂行する。映像処理部１０はこのようなプロセスが遂行された映像信号を表示部２０に出力することにより、処理されたソース映像が表示部２０に表示されることができる。映像処理部１０（又は後述する制御部３０）は、後述するように、曲面部に映像を縮小して表示するプロセスを遂行することができる。
【００５１】
表示部２０は、映像処理部１０から出力される映像信号に基づいて映像を表示することができる。表示部２０は映像が表示される表示パネル２００と入力される映像信号を処理して表示パネルに映像を表示するパネル駆動部を含むことができ、詳細な具現方式において限定されない。インターフェースを介して外部の入力ソースから受信された映像信号はデコーディング（ｄｅｃｏｄｉｎｇ）、デインタレーシング（ｄｅｉｎｔｅｒｌａｃｉｎｇ）、スケーリング（ｓｃａｌｉｎｇ）などの映像処理過程によって表示部２０に表示されることができる。
【００５２】
制御部３０はヘッドマウント表示装置内部の全般的な構成を制御することができる。制御部３０は映像処理部１０と分離又は統合可能である。
【００５３】
通信部４０は外部入力による信号を受信して映像処理部１０又は制御部３０に伝達することができる。通信部４０は多様な外部入力ケーブルが接続されることによって該当外部入力からの信号を有線で受信し、あるいは無線で受信される信号を所定の無線通信規格にしたがって受信することができる。
【００５４】
通信部４０は、各ケーブルが個別的に接続される複数のコネクター（図示せず）を含むことができる。通信部４０は、接続された外部入力からの信号、例えばＨＤＭＩ（登録商標）、ＵＳＢ、コンポーネント（ｃｏｍｐｏｎｅｎｔ）規格による放送信号、映像信号、データ信号などを受信するとか、あるいは通信ネットワークを介しての通信データを受信することができる。
【００５５】
通信部４０は、外部入力からの信号／データを受信する構成だけでなくヘッドマウント表示装置の設計方式によって、無線通信のための無線通信モジュール（図示せず）又は放送信号のチューニングのためのチューナー（図示せず）のような多様な付加的な構成をさらに含むことができる。通信部４０は、外部装置から信号を受信することの他にも、ヘッドマウント表示装置の情報／データ／信号を外部装置に伝送することもできる。すなわち、通信部４０は外部装置から信号を受信する構成のみに限定することができなく、両方向通信が可能なインターフェース（ｉｎｔｅｒｆａｃｅ）によって具現できる。通信部４０は、複数の制御装置からＵＩを選択するための制御信号を受信することができる。通信部４０はブルートゥース（登録商標）（Ｂｌｕｅｔｏｏｔｈ（登録商標））、ＩＲ（Ｉｎｆｒａｒｅｄ）、ＵＷＢ（Ｕｌｔｒａ  Ｗｉｄｅｂａｎｄ）、ジグビー（Ｚｉｇｂｅｅ（登録商標））などの公知の近距離無線通信のための通信モジュールから構成されることができ、有線通信のための公知の通信ポートから構成されることもできる。通信部４０は、ＵＩを選択するための制御信号の他に、ディスプレイ操作のための命令、データの送受信などの多様な目的で活用可能である。
【００５６】
記憶部５０はヘッドマウント表示装置への電源が遮断されてもデータが残っていなければならなく、使用者の変動事項を反映するように書込み可能な非揮発性メモリ（Ｗｒｉｔａｂｌｅ  ＲＯＭ）からなることが好ましい。すなわち、記憶部５０はフラッシュメモリ（Ｆｌａｓｈ  Ｍｅｍｏｒｙ）又はＥＰＲＯＭ又はＥＥＰＲＯＭのいずれか一つからなることができる。
【００５７】
使用者入力部６０は、使用者の操作及び入力によって既設定の多様な制御コマンド又は情報を制御部３０に伝達することができる。使用者入力部６０はヘッドマウント表示装置の外側に取り付けられたメニューキー（ｍｅｎｕ−ｋｅｙ）又は入力パネル（ｐａｎｅｌ）、あるいはヘッドマウント表示装置から分離又は離隔したリモートコントローラー（ｒｅｍｏｔｅ  ｃｏｎｔｒｏｌｌｅｒ）などから具現されることができる。
【００５８】
使用者入力部６０は使用者のモーション及び音声を受信することができる。使用者のモーションはタッチ入力を含むことができる。使用者入力部６０は使用者のモーション及び音声を直接受信することもでき、あるいは使用者のモーション及び音声についての情報を外部装置から受信することもできる。
【００５９】
また、使用者入力部６０は、後述する表示パネル２００、光学系４００及び使用者の視点間の距離を調整することができる調整系（図示せず）を含むことができる。使用者の操作によって、調整系は表示パネル２００及び／又は光学系４００の位置を使用者の視点の前後方向（図３のＺ軸方向）に移動させることができる。
また、使用者入力部６０は、使用者の視点を測定することができるセンサー部（図示せず）を含むことができる。測定された使用者の視点と表示パネル２００間の距離によって、後述する曲面部２２０に表示される映像の縮小比率を変更することができる。
【００６０】
図２ａは本発明の一実施形態によるヘッドマウント表示装置（Ｈｅａｄ−ｍｏｕｎｔｅｄ  ｄｉｓｐｌａｙ  ｄｅｖｉｃｅ）の斜視図、図２ｂは本発明の一実施形態によるヘッドマウント装置の使用図である。
【００６１】
図２ａ及び図２ｂを参照すると、ヘッドマウント表示装置は使用者５００の頭部に着用される装置である。ヘッドマウント表示装置は使用者５００の実際の周辺視野を遮断した状態で映像を提供することができる。ヘッドマウント表示装置を着用した使用者５００は仮想現実にさらに容易に沒入することができる。
【００６２】
ヘッドマウント表示装置は、ケース部（ｃａｓｅ  ｐａｒｔ）１００、クッション部（ｃｕｓｈｉｏｎ  ｐａｒｔ）３００及びストラップ部（ｓｔｒａｐ  ｐａｒｔ）３５０を含むことができる。
【００６３】
ケース部１００は使用者５００の頭部に着用できる。ケース部１００の内部には、映像を表示する表示パネル２００（図３参照）、及び加速度センサー（図示せず）などを収納することができる。加速度センサーは使用者５００の動きを感知し、表示パネルに所定の信号を伝達することができる。これにより、表示パネルは使用者５００の視線変化による映像を提供することができる。よって、使用者５００は実際現実のような仮想現実を体験することができる。
【００６４】
ケース部１００には、前記開示したものの他に、多様な機能を有する部品を収納することができる。例えば、前述した映像処理部１０、表示部２０、制御部３０、通信部４０、記憶部５０及び使用者入力部６０を収納することができる。
【００６５】
クッション部３００はケース部１００と使用者５００の頭部の間に配置されることができる。クッション部３００は形状の変形が自在な物質から構成されることができる。例えば、クッション部３００は高分子樹脂（例えば、ポリウレタン（ｐｏｌｙｕｒｅｔｈａｎｅ）、ポリカーボネート（ｐｏｌｙｃａｒｂｏｎａｔｅ）、ポリプロピレン（ｐｏｌｙｐｒｏｐｙｌｅｎｅ）又はポリエチレン（ｐｏｌｙｅｔｈｙｌｅｎｅ））から形成されるとか、ゴム液、ウレタン系物質、又はアクリル系物質を発泡成形したスポンジから形成されることができる。ただ、これに制限されるものではない。
【００６６】
クッション部３００はケース部１００が使用者５００に密着することができるようにして使用者５００の着用感を向上させることができる。クッション部３００はケース部１００に着脱可能である。本発明の他の実施形態において、クッション部３００は省略することもできる。
【００６７】
ストラップ部３５０はケース部１００と接続され、ケース部１００が使用者５００に容易に着用できるようにする。ストラップ部３５０はメインストラップ３５１及びトップストラップ３５２を含むことができる。
【００６８】
メインストラップ３５１は使用者５００の頭部の周囲に沿って着用できる。メインストラップ３５１は、ケース部１００が使用者５００の頭部に密着することができるように、ケース部１００を使用者５００に固定させることができる。トップストラップ３５２は使用者５００の頭部の上部に沿ってケース部１００とメインストラップ３５１を連結することができる。トップストラップ３５２はケース部１００が下がることを防止することができる。また、トップストラップ３５２はケース部１００の荷重を分散させて使用者５００の着用感を一層向上させることができる。
【００６９】
図２ａにはメインストラップ３５１とトップストラップ３５２の長さを調節することができる形態を例示的に示したが、これに限定されるものではない。例えば、他の実施形態においては、メインストラップ３５１とトップストラップ３５２が弾性を有し、長さを調節することができる部分を省略することができる。
ケース部１００を使用者５００に固定することができれば、ストラップ部３５０は図２ａ及び図２ｂに示した形態の他にも多様な形態に変形可能である。例えば、本発明の他の実施形態において、トップストラップ３５２は省略することもできる。また、本発明のさらに他の実施形態においては、ストラップ部３５０はケース部１００と接続されたヘルメット、又はケース部１００と接続されためがねのつるなどの多様な形態に変形可能である。
【００７０】
図３は本発明の一実施形態によるヘッドマウント装置の一部を分解した分解斜視図である。図３にはストラップ部（図１の２００）の構成は示されていない。
【００７１】
図３を参照すると、ケース部１００は胴体部１０１とカバー部１０２に分離可能である。胴体部１０１とカバー部１０２の間に表示パネルが装着され、カバー部１０２は表示パネルが装着された空間をカバーすることができる。図３には胴体部１０１とカバー部１０２が分離される形態を例示的に示したが、これに制限されるものではない。例えば、図４に示したように、胴体部１０１とカバー部１０２は一体型に提供されることができ、互いに分離されないようにすることもできる。
【００７２】
胴体部１０１とカバー部１０２の間には表示パネル２００が配置されることができる。表示パネル２００はヘッドマウント表示装置の内部に一体的に内蔵されて映像を提供することができる。しかし、これに制限されるものではない。例えば、表示パネル２００を含む表示装置（例えば、携帯用端末機）がヘッドマウント装置と接続して映像を提供することもできる。
【００７３】
図３には左眼映像と右眼映像が一つの表示パネル２００を介して表示されるもの（両眼統合型）を例として挙げて説明する。表示パネル２００は左眼映像が表示される左眼映像表示領域２０１と右眼映像が表示される右眼映像表示領域２０２に区分されることができる。左眼映像表示領域２０１と右眼映像表示領域２０２は別個のパネル駆動部によって駆動できる。ただ、これに制限されるものではなく、単一パネル駆動部によって左眼映像表示領域２０１と右眼映像表示領域２０２が共に駆動されることもできる。また、図１０に示したように、本発明のさらに他の実施形態において、表示パネル２００は互いに分離された左眼用表示パネル２４１と右眼用表示パネル２４２を含むこともできる。表示パネル２００の具体的な形状は後述する。
【００７４】
表示パネル２００は入力された映像データに対応する映像を生成する。表示パネル２００は、有機発光表示パネル、液晶表示パネル、プラズマ表示パネル、電気泳動表示パネル、及びエレクトロウェッティング表示パネルなどの多様な形態の表示パネルのいずれか一つを含むことができる。本実施形態においては表示パネル２００が有機発光表示パネルであるものを例として説明するが、これに制限されるものではない。有機発光表示パネルの詳細な構造は図１７及び図１８に基づいて後述する。
【００７５】
ケース部１００の胴体部１０１の内部には光学系４００が配置されることができる。光学系４００は凸形の非球面レンズであり得る。また、光学系４００は、レンズの厚さを減らすために複数の環形レンズに分割されたフレネル（Ｆｒｅｓｎｅｌ）レンズであり得る。光学系４００は表示パネル２００から提供された映像を拡大することができる。光学系４００は表示パネル２００から第１方向（Ｚ）に離隔して配置されることができる。光学系４００は表示パネル２００と使用者眼５１０の間に配置されることができる。
【００７６】
光学系４００は左眼光学系４０１と右眼光学系４０２を含むことができる。左眼光学系４０１は使用者（図２の５００）の左側瞳孔５１１に映像を拡大して提供し、右眼光学系４０２は使用者（図２の５００）の右側瞳孔５１２に映像を拡大して提供することができる。左眼光学系４０１と右眼光学系４０２は左右方向（Ｘ軸方向）に離隔して配置されることができる。使用者（図２の５００）の両眼５０１、５０２間の距離に対応して左眼光学系４０１と右眼光学系４０２間の距離が調節できる。
【００７７】
図４は本発明の一実施形態によるヘッドマウント装置の概略断面図である。図４は図３のＩ−Ｉ’線に沿って切断した断面図である。また、図４には、ケース部１００、表示パネル２００、使用者眼５１０及び使用者顔面線５２０を除いた他の構成は示されていない。以下では、説明の便宜上、左右方向（図面のＸ軸方向）、上下方向（図面のＹ軸方向）及び前後方向（図面のＺ軸方向）は使用者５００がヘッドマウント表示装置を着用した状態での使用者５００（以下、使用者という）の視線を基準に定義される。
【００７８】
図４に示したように、表示パネル２００は使用者５００の眼を基準に凹むように左右側が曲がっている。より具体的に、表示パネル２００は中央の平面部２１０と左右側の曲面部２２０を有する。平面部２１０は実質的に平面である。すなわち、平面部２１０は曲率が０又はほぼ０である。曲面部２２０は平面部２１０から左右方向に伸びる。断面図上で、左側の曲面部２２１と右側の曲面部２２２は、表示パネル２００の中心を通るとともに表示パネル２００に垂直な対称線２６３を基準に対称である。
【００７９】
一方、他の言及がなければ、本明細書の平面部２１０及び曲面部２２０は映像が表示される領域を意味する。
【００８０】
曲面部２２０は左右方向への所定の幅と上下方向への長さを有する。幅方向は０ではない所定の曲率（曲率半径の逆数と定義する）を有する。長手方向は０の曲率を有し得る。
【００８１】
ケース部１００は表示パネル２００が曲がった状態を維持するように支持する。平面部２１０はカバー部１０２によって支持されることができ、曲面部２２０は前後方向に伸びた胴体部１０１によって支持されることができる。
【００８２】
図５ａは本発明の一実施形態によって曲面部２２０に表示される映像の左右方向の縮小比率を説明するための断面図で、図４の右側部に対応する。図５ａに示したように、本発明の一実施形態によると、より小さな表示パネル２００でより広い視野角を提供することができる。
【００８３】
図５ａは平面部２１０の右側一部、右側曲面部２２２及び使用者の右眼５１２を示す。一方、以下の説明で、断面図を基準に説明する点又は線はそれぞれその点又はその線を通るとともに断面図に垂直な線又は面を意味し得る。
【００８４】
まず、仮想平面２３０は平面部２１０から伸びた平面である。Ｄは使用者５００の右眼５１２の視点４２０と仮想平面２３０又は平面部２１０間の距離である（あるいはＤは仮想平面２３０の法線を示す）。距離Ｄはケース１００内の表示パネル２００の配置、クッション部３００の構造、光学系４００の屈折率などによって決定された所定の値であり得る。もしくは、距離Ｄは使用者によって設定された値であり得る。もしくは、距離Ｄは前述したセンサー部によって測定された値であり得る。
【００８５】
Ｒは曲面部２２２の曲率半径である。曲面部２２２の中心は平面部２１０と曲面部２２２が会う地点、すなわち曲面部の開始点４２２を通る表示パネル２００の法線上にある。すなわち、曲面部２２２は仮想平面２３０と接している。θは曲面部２２２の中心角である。Ａは曲面部２２０の左右方向への幅、すなわち断面図である図５ａにおいて曲面部２２０の弧の長さである。
【００８６】
Ｂは視点４２０を通る仮想平面２３０の法線Ｄと曲面部２２２の開始点４２２を通る仮想平面２３０の法線間の距離である。
【００８７】
点線４１０、４１１は使用者５００の視点４２０からの視線を示す直線である。点線４１０は視点４２０と曲面部２２２上の終点４２１を通過する直線であり、点線４１１は視点４２０と曲面部２２２（又は仮想平面２３０）上の開始点４２２を通過する直線である。仮想平面２３０上の終点４２３は仮想平面２３０と点線４１０が交差する地点である。
【００８８】
Ｌは仮想平面２３０上の開始点４２２と仮想平面２３０上の終点４２３間の距離を示す。仮想平面２３０上の開始点４２２と仮想平面２３０上の終点４２３間の平面を曲面部２２２の等価領域２３１と定義する。
2019120929.tif 000005
【００８９】
等価領域２３１の長さＬは前記式（１）、（２）及び（３）から下記の式（４）のように導出される。
2019120929.tif 000006
【００９０】
一方、曲面部の長さＡは下記の式（５）の通りである。
2019120929.tif 000007
【００９１】
したがって、平面部に対する曲面部の左右方向映像縮小比率Ａ／Ｌは次の式（６）のようである。
2019120929.tif 000008
【００９２】
図５ｂは本発明の一実施形態によって曲面部２２０に表示される映像の縮小比率を説明するための断面図で、図５ａと違うＲ及びθを有する曲面部を示す。
【００９３】
図５ｂに示したように、曲面部２２２の中心点が使用者５００の視点４２０及び曲面部２２２の終点４２１を通過する視線４１０上に位置する。よって、視線４１０は終点４２１で曲面部２２２と垂直に交差する。その他の条件は同一である。この実施形態によると、Ｌ＝Ｒｔａｎθであるので、平面部に対する曲面部の左右方向映像縮小比率Ａ／Ｌは次の式（７）の通りである。
2019120929.tif 000009
【００９４】
一方、平面部に対する曲面部の映像縮小比率は同じ映像が平面部２１０に表示される場合の大きさに対する曲面部２２２に表示される場合の大きさの比率と定義される。例えば、平面部２１０に表示された任意の映像の大きさがＬ１であると仮定しよう。その映像が等価領域２３１に表示されると仮定するとその大きさもやはりＬ１である。しかし、その映像が曲面部２２２に表示される場合にはその大きさがＬ２に縮小する。したがって、映像縮小比率はＬ２／Ｌ１である。
【００９５】
一方、曲面部２２２の各地点の平面部に対する曲面部の左右方向映像縮小比率はいずれもＡ／Ｌであって同一であることも、曲面部２２２上の位置によって違うこともある。例えば、曲面部２２２の開始点４２２での左右方向映像縮小比率は１、すなわち平面部と同一の比率で縮小し、その地点が開始点４２２から遠くなるほど、映像縮小比率が次第に急激に減少することができる。すなわち、曲面部２２２に表示される映像は平面部２１０から遠くなるほど次第に縮小することができる。一方、映像が次第に縮小するというのは平面部に対する曲面部の映像の比率又は映像縮小比率がさらに小さいことを意味する。映像縮小比率が曲面部２２２上の位置によって違っても、曲面部の全体映像縮小比率はＡ／Ｌであり得る。
【００９６】
例えば、図５ｂに示した実施形態において、任意の地点（中心角θ）での映像縮小比率ｄＡ／ｄＬは下記の式（８）の通りである。
2019120929.tif 000010
【００９７】
したがって、θ＝０、すなわち平面部２１０と曲面部２２２の境界線４２２で映像縮小比率は１であり、θが大きくなるに従い、すなわち平面部２１０から遠くなるほど映像縮小比率は次第に急激に減少する。
【００９８】
図６は本発明の一実施形態による表示パネル一部の正面図（ａ）及び側面図（ｂ）である。図６に基づき、曲面部２２０に表示される映像の上下方向縮小比率を説明する。図５ａ及び図５ｂを参照して説明したように、平面部２１０の左右側に配置された曲面部２２０に表示される映像は左右方向に縮小することができる。また、本発明の一実施形態によると、図６に示したように、平面部２１０の左右側に配置された曲面部２２０に表示される映像は上下方向に縮小することができる。
【００９９】
例えば、図５ａ及び図５ｂに示した実施形態において、任意の地点（中心角θ）での上下方向映像縮小比率Ｗ２／Ｗ１は次の式（９）のように求めることができる。
2019120929.tif 000011
【０１００】
Ｗ２は曲面部２２２の上下方向の長さ、Ｗ１は曲面部２２２に対応する等価領域２３１の上下方向の長さ、Ｒ（１−ｃｏｓθ）は任意の地点（中心角θ）と等価領域２３１間の距離、Ｄは平面部２１０と視点４２０間の距離である。
【０１０１】
したがって、式（９）から上下方向映像縮小比率Ｗ２／Ｗ１は次の式（１０）の通りである。
2019120929.tif 000012
【０１０２】
したがって、θ＝０、すなわち平面部２１０と曲面部２２２の境界線４２２で上下方向映像縮小比率は１であり、θが大きくなるに従い、すなわち平面部２１０から遠くなるほど上下方向映像縮小比率は次第に急激に減少する。
【０１０３】
図７は本発明の一実施形態による縮小しなかった映像（ａ）及び縮小した映像（ｂ）を示す図である。
【０１０４】
一実施形態によると、通信部４０又は記憶部５０は制御部３０又は映像処理部１０（以下、説明の便宜上、制御部３０という）に図７（ａ）のような映像のデータを提供する。制御部３０は提供された図７（ａ）のような映像のデータを図７（ｂ）のような縮小した映像のデータに変換することができる。ただ、これに限定されるものではなく、通信部４０又は記憶部５０は制御部３０に図７（ｂ）のように既に縮小した映像のデータを提供し、制御部３０は図７（ｂ）のような縮小した映像のデータを表示部２０に提供することもできる。
【０１０５】
図７（ａ）に示したように、一般的に映像は平面表示パネルに表示されるように構成され、表示パネルの各部分、例えば表示パネルの中央部及び周辺部は映像を同じ比率で表示する。よって、図７（ａ）のような平面用映像を図４のような表示パネル２００の曲面部２２０に表示すれば、映像が歪曲することがある。よって、一実施形態によるヘッドマウント表示装置は、曲面部２２０に図５ａ〜図６を参照して説明したように左右方向及び／又は上下方向に縮小した映像を表示する。
【０１０６】
まず、図７（ａ）に示した平面用映像Ｉｍは同じ大きさの部分映像Ｉｍ（ｉ、ｊ）を含む。全ての部分映像Ｉｍ（ｉは１以上１６以下の自然数、ｊは１以上８以下の自然数）は表示パネルに同じ比率で表示されることができる。平面用映像Ｉｍは原本映像であり得る。もしくは、原本映像は本発明の一実施形態による平面部２１０及び等価領域２３１の大きさによって、制御部３０によって全体的に、すなわち各部分映像Ｉｍ（ｉ、ｊ）に対して同じ比率でスケーリングされた映像であり得る。
【０１０７】
制御部３０は、平面用映像Ｉｍにおいて平面部２１０に表示される部分映像Ｉｍ（ｉ、ｊ）と等価領域２３１の（曲面部２２０に表示される）部分映像Ｉｍ（ｉ、ｊ）を決定することができる。制御部３０は、等価領域２３１の部分映像Ｉｍ（ｉ、ｊ）を左右方向及び／又は上下方向に部分的に縮小させる。
【０１０８】
図７に示したように、等価領域２３１の部分映像Ｉｍ（ｉ、ｊ）は平面部から遠くなるほど左右方向及び上下方向に次第に縮小する。このように部分的に縮小した映像Ｉｍ’に対するデータを表示部２０のパネル駆動部に提供し、パネル駆動部は表示パネル２００に図７（ｂ）のような映像Ｉｍ’が表示されるようにする。
【０１０９】
したがって、本発明の一実施形態による曲面部２２０に表示された図７（ｂ）の映像Ｉｍ’は、平面部２１０から伸びた仮想平面２３０又は等価領域２３１に図７（ａ）の映像Ｉｍが表示されるもののように視認される。したがって、本発明の一実施形態はより小さな表示パネルを使いながらも使用者にさらに広い視野角を提供することができ、さらに図７（ａ）の映像が一般的な平面表示パネルに表示されるもののように映像の歪曲を減らすことができる。
【０１１０】
図８は本発明の一実施形態によって曲面部に表示される映像の変換を説明する図である。
【０１１１】
前述したように、本発明の一実施形態による曲面部２２０に表示される曲面用映像Ｉｍ’は、平面部２１０から伸びた等価領域２３１に平面用映像Ｉｍが表示されるものと同様に視認されることができる。
【０１１２】
視点４２０からの一直線が通過する曲面部２２０の一地点及び等価領域２３１の一地点は互いに対応し、互いに対応する二つの地点には同じ映像が表示されることができる。したがって、曲面部２２０の一地点には等価領域２３１の対応する地点の部分映像Ｉｍ（ｉ、ｊ）に対応する部分映像Ｉｍ’（ｉ、ｊ）が表示される。また、前述したように、曲面用部分映像Ｉｍ’（ｉ、ｊ）は左右方向及び上下方向に縮小することができる。
【０１１３】
一方、図８は円柱の一部形状を有する曲面部を示したが、これに限定されない。任意の形状を有する曲面部に対しても図８を参照して説明したイメージ変換方法を適用することができる。
【０１１４】
一方、図４〜図８は平面部２１０の左右側に配置された曲面部２２０を例として説明したが、これに限定されない。図４〜図８を参照して説明した実施形態は平面部２１０の上下側に配置された曲面部にも同様に適用することができる。
【０１１５】
図９は本発明の一実施形態によるヘッドマウント装置の概略断面図で、光学系４００による視線の屈折を示す。図６は右眼光学系４０２を中心に説明するが、左眼光学系４０１にも同様に適用することができる。
【０１１６】
図９に示したように、実際使用者の視点４３０からの視線４１２、４１３は光学系を経ながら屈折される。よって、図５ａ及び図５ｂを参照した説明で、曲面部２２２及び等価領域２３０を透視する視線４１０、４１１は実際使用者５００の視点４３０と直線を成していない。
【０１１７】
一方、光学系４００の屈折率ｎは下記の式（１１）の通りである。
2019120929.tif 000013
【０１１８】
図９で、ＯＬは平面部２１０と右眼光学系４０２間の距離、Ｄ’は実際使用者５００の視点４３０と平面部２１０間の距離、Ｄは曲面部２２２を通る視線４１０、４１１の仮想視点４２０と平面部２１０間の距離である。
【０１１９】
したがって、光学系が含まれた場合、前述した視点４２０は実際使用者の視点４３０ではなく仮想の視点４２０を指し、前記式（１）〜（７）に使用されたＤは実際使用者の視点４３０までの距離Ｄ’ではなく仮想の視点４２０までの距離Ｄを意味する。
【０１２０】
仮想の視点４２０までの距離Ｄは実際使用者の視点４３０までの距離Ｄ’及び右眼光学系４０２の屈折率によって決定することができる。
【０１２１】
図１０は本発明の一実施形態による表示パネルの概略斜視図で、両眼分離型表示パネル２４０を示す。図１１は図１０の断面図である。先に説明した部分と共通の事項の詳細な説明は省略する。
【０１２２】
図１０に示したように、本発明の一実施形態による表示パネル２４０は、左眼用表示パネル２４１及び右眼用表示パネル２４２を含む。
【０１２３】
図１０及び図１１に示したように、それぞれの表示パネル２４１、２４２は使用者５００の眼を基準に左右側が曲がっている。より具体的に、左眼用表示パネル２４１は中央の平面部２５１Ｌと左右側の曲面部２６２Ｌ、２６１Ｌを有する。平面部２５１Ｌは実質的に平面である。すなわち、平面部２５１Ｌは０又はほぼ０の曲率を有する。曲面部２６０Ｌは平面部２５１Ｌから左右方向に伸びる。曲面部２６０Ｌは左右方向の所定の幅と上下方向の長さを有する。幅方向は０ではない所定の曲率を有する。長手方向は０の曲率を有し得る。
【０１２４】
一実施形態において、左眼用表示パネル２４１の断面図上で左側の曲面部２６２Ｌと右側の曲面部２６１Ｌは、左眼用表示パネル２４１の中心を上下方向に通るとともに表示パネル２４１に垂直な対称面（図示せず）を基準に対称であり得る。左眼用表示パネル２４１と右眼用表示パネル２４２は、その中間を上下方向に通るとともに表示パネル２４１に垂直な対称面２６３を基準に対称である。
【０１２５】
ケース部１００は表示パネル２４０の曲がった状態を維持するように支持する。また、ケース部１００は、両表示パネル２４１、２４２を分離し、左眼用表示パネル２４１の右側曲面部２６１Ｌと右眼用表示パネル２４２の左側曲面部２６２Ｒを支持する突出部１０３をさらに含むことができる。突出部１０３は左眼用表示パネル２４１が右眼に視認されるとか右眼用表示パネル２４２が左眼に視認されるとかすることがないように各眼の視野を遮断することができる。以下では左眼用表示パネル２４１を中心に説明するが、右眼用表示パネル２４２にも同様に適用することができる。
【０１２６】
図１２は本発明の一実施形態による両眼分離型表示パネル２４０の断面図である。
【０１２７】
図５ａ及び図５ｂを参照して説明した平面部に対する曲面部映像縮小比率も本実施形態に適用することができ、これについての詳細な説明は省略する。
【０１２８】
まず、左側曲面部２６２Ｌと右側曲面部２６１Ｌは同じ曲率半径Ｒを有する。ただ、これに限定されるものではなく、左側曲面部２６２Ｌと右側曲面部２６１Ｌは互いに異なる曲率半径を有することもできる。
【０１２９】
また、左側曲面部２６２Ｌと右側曲面部２６１Ｌはそれぞれ中心角θ３及びθ１を有する。中心角θ３及びθ１は互いに同一でも異なっていてもよい。例えば、左眼５１１の左側視野角をより広く確保するために、中心角θ３が中心角θ１より大きくてもよい。
【０１３０】
一方、映像が表示される右側曲面部２６１Ｌの領域が変わってもよい。例えば、中心角θ１の曲面部２６１Ｌ全体に映像が表示されることができる。これとは違い、ある場合には右側曲面部２６１Ｌの一部、すなわち中心角θ１より小さな任意の中心角θまでの曲面部にだけ映像が表示されることができる。
【０１３１】
例えば、使用者５００の入力によって、表示される映像の種類（例えば、２Ｄ又は３Ｄ映像）によって映像が表示される領域の中心角θを決定することができる。よって、曲面部に表示される映像に対応する等価領域の長さＬ２が可変することができる。一方、右側曲面部２６１Ｌを中心に説明したが、これに限定されるものではなく、左側曲面部２６２Ｌはもちろんのこと、先に説明した全ての曲面部において映像が表示される領域が可変することができる。
【０１３２】
例えば、対称線２６３と中心角θ２までの曲面部の終点を通る視線が仮想平面２３０で会うように中心角θ２を決定することができる。よって、左眼用表示パネル２４１の右側曲面部２６１Ｌの等価領域Ｌ２及び右眼用表示パネル２４２の左側曲面部２６２Ｒの等価領域（Ｌ２と対称な領域）は互いに接することができる。
【０１３３】
一方、中心角θ２より大きな中心角θ１まで映像が表示されることができる。よって、左眼用表示パネル２４１の右側曲面部２６１Ｌの等価領域Ｌ１及び右眼用表示パネル２４２の左側曲面部２６２Ｒの等価領域（Ｌ１と対称な領域）は互いに重なることができる。よって、本実施形態による両眼分離型表示パネルは前述した両眼統合型表示パネル２００が提供することができない視野角を提供することができる。
【０１３４】
図１３ａは本発明の一実施形態による表示パネルの斜視図、図１３ｂ及び図１３ｃはそれぞれ図１３ａの左右方向及び上下方向への断面図である。
【０１３５】
図１３ａ〜図１３ｃに示した表示パネル２７０は左眼用及び右眼用表示領域の両者を含む。
【０１３６】
また、表示パネル２７０はドーム（ｄｏｍｅ）状を有する。より具体的に、表示パネル２７０は、平面部２７１及び平面部２７１の左右側及び上下側の曲面部２７２〜２７５を有する。左右側曲面部２７２、２７３の曲率半径及びその中心角は上下側曲面部２７４、２７５の曲率半径及びその中心角と同一でも異なっていてもよい。曲面部の具体的形態及び平面部に対する曲面部映像縮小比率は先に既に説明したので、その詳細な内容は省略する。
【０１３７】
左右側曲面部２７２、２７３には左右方向に縮小した映像が表示され、上下側曲面部２７４、２７５には上下方向に縮小した映像が表示されることができる。ただし、これに限定されるものではなく、左右側曲面部２７２、２７３には上下方向にも縮小した映像が表示され、上下側曲面部２７４、２７５には左右方向にも縮小した映像が表示されることができる。
【０１３８】
一方、図１０ａで表示パネル２７０は縁端に曲面部２７２〜２７５が連結されたものとして示されているが、これに限定されなく、表示パネル２７０の縁端に曲面部２７２〜２７５が互いに連結されずに開口していてもよい。
【０１３９】
また、一実施形態において、平面部２７１は四角形の形状を有する。ただ、これに限定されるものではなく、平面部２７１は楕円形、円形、六角形などの多角形のような多様な形状を有することができる。
【０１４０】
図１４は本発明の一実施形態による表示パネルの斜視図である。図１３ａ〜図１３ｃで説明した事項と重複する内容は省略する。
【０１４１】
図１４に示した表示パネル２８０は左眼用表示パネル２８１と右眼用表示パネル２８２を含み、それぞれの表示パネル２８１、２８２は互いに分離されていてもよい。
【０１４２】
また、それぞれの表示パネル２８１、２８２はドーム状を有する。すなわち、それぞれの表示パネル２８１、２８２は平面部及び平面部の左右側及び上下側の曲面部を有する。それぞれの表示パネル２８１、２８２は左右方向への長さを除き、図１０ａ〜図１０ｂに示した表示パネル２７０と同一であってもよい。また、表示パネル２８１、２８２のそれぞれの左右側曲面部は図７及び図８を参照して説明した曲面部と同一又は類似の構造を有する。
【０１４３】
また、一実施形態において平面部２７１は四角形の形状を有する。ただ、これに限定されるものではなく、平面部２７１は楕円形、円形、六角形などの多角形のような多様な形状を有することができる。
【０１４４】
図１５ａ及び図１５ｂは本発明の一実施形態による表示パネルの展開図である。図１５ａ及び図１５ｂに示した表示パネル２７０は左眼用及び右眼用表示領域の両者を含む。
【０１４５】
表示パネル２７０は図１５ａに示した平面の表示パネルを曲げことによって形成することができる。すなわち、平面部２７１から上下方向及び左右方向に伸びた領域を所定の曲率を有するように曲げることによって曲面部２７２〜２７５を形成する。曲面部２７２〜２７５が別に曲げられるように、各曲面部間のコーナー部２７６は四角形に切断されている（ｎｏｔｃｈ  ｃｕｔ）。したがって、図１５ａの展開図を有する表示パネル２７０はそのコーナー部が開口している。
【０１４６】
一方、図１５ｂに示した展開図のそれぞれのコーナー部２７６は曲線形に切断されている。よって、曲げられた表示パネル２７０はそのコーナー部が開口しなく、表示パネル２７０のそれぞれの曲面部２７２〜２７５が互いに連結されることができる。ただ、表示パネルの形状がこれに限定されず、多様な方式によって多様な形態のドーム状の表示パネルを含む。
【０１４７】
一方、左眼５１１及び右眼５１２の視野領域２７７、２７８は使用者がヘッドマウント表示装置を着用した状態で使用者に視認される領域を意味する。各視野領域２７７、２７８は楕円形又は円形であり得る。本発明の一実施形態によると、視野領域２７７、２７８は平面部２７１及び曲面部２７２〜２７５の一部と重畳し、コーナー部２７６には重畳しない。すなわち、使用者に曲面部２７２〜２７５間のコーナー部は見えない。また、各視野領域２７７、２７８は互いに重畳しない。
【０１４８】
図１６は本発明の一実施形態による表示パネル２８０の展開図である。図１６に示した表示パネル２８０は左眼用表示パネル２８１と右眼用表示パネル２８２を含み、それぞれの表示パネル２８１、２８２は互いに分離されていてもよい。
【０１４９】
それぞれの表示パネル２８１、２８２は、左右方向への長さを除き、図１５ａに示した表示パネル２７０と同一であり得る。また、表示パネル２８１、２８２のそれぞれの左右側曲面部は図１０及び図１１を参照して説明した曲面部と同一又は類似の構造を有する。
【０１５０】
図１５ａで説明したように、各曲面部間のコーナー部が四角形に切断されて、図１６の展開図を有する表示パネル２７０はそのコーナー部が開口している。また、開口したコーナー部は左眼５１１及び右眼５１２の視野領域２８３に含まれていなくてもよい。
【０１５１】
図示されていないが、それぞれの表示パネル２８１、２８２の各曲面部間のコーナー部は図１５ｂのように切断され、曲面部が互いに連結されることができる。
【０１５２】
一方、図１６に示したように、それぞれの表示パネル２８１、２８２は、映像が表示される表示領域２８６と映像が表示されない周辺の非表示領域２８５を含むことができる。非表示領域２８５には表示パネル２８１、２８２を駆動するための各種の配線が配置されることができる。図示されていないが、非表示領域２８５は前述した全ての表示パネル２００に含まれることができる。
【０１５３】
図１７は本発明の一実施形態による表示パネルの一部を拡大した部分拡大図、図１８は図４のＩＶ−ＩＶ’線に沿って切断した断面図である。
【０１５４】
図１７及び図１８を参照すると、本発明の一実施形態による表示パネル２００は、表示領域ＤＡに配置されたスイッチング薄膜トランジスタ、駆動薄膜トランジスタ、蓄電素子及び有機発光素子８１０を含む複数の画素を有する。有機発光素子８１０は相対的に低い温度で蒸着可能であり、低電力、高輝度などの理由でフレキシブル表示装置に主に適用されることができる。ここで、画素は画像を表示する最小単位を言い、表示パネルは複数の画素を介して画像を表示する。
【０１５５】
また、単一画素に二つの薄膜トランジスタ（ｔｈｉｎ  ｆｉｌｍ  ｔｒａｎｓｉｓｔｏｒ、ＴＦＴ）と一つの蓄電素子（ｃａｐａｃｉｔｏｒ）が配置されたものが添付図面に示されているが、これに限定されるものではなく、一つの画素は三つ以上の薄膜トランジスタと二つ以上の蓄電素子を備えることもでき、別途の配線をさらに含んで多様な構造を有することができる。
【０１５６】
表示パネル２００は、基板７１０、基板７１０上に配置されたゲートライン７５１、ゲートライン７５１と絶縁状態で交差するデータライン７７１及び共通電源ライン７７２を含むことができる。一般に、一つの画素はゲートライン７５１、データライン７７１及び共通電源ライン７７２を境界として定義されることができるが、画素が前述した定義に限定されるものではない。画素はブラックマトリックス（図示せず）又は画素定義膜７９０によって定義されることができる。
【０１５７】
基板７１０は柔軟性材料からなることができる。このような柔軟性材料としてはプラスチック物質がある。例えば、基板７１０は、カプトン（ｋａｐｔｏｎ）、ポリエーテルスルホン（ｐｏｌｙｅｔｈｅｒｓｕｌｐｈｏｎｅ、ＰＥＳ）、ポリカーボネート（ｐｏｌｙｃａｒｂｏｎａｔｅ：ＰＣ）、ポリイミド（ｐｏｌｙｉｍｉｄｅ：ＰＩ）、ポリエチレンテレフタレート（ｐｏｌｙｅｔｈｙｌｅｎｅｔｅｒｅｐｈｔｈａｌａｔｅ：ＰＥＴ）、ポリエチレンナフタレート（ｐｏｌｙｅｔｈｙｌｅｎｅｎａｐｈｔｈａｌａｔｅ、ＰＥＮ）、ポリアクリレート（ｐｏｌｙａｃｒｙｌａｔｅ、ＰＡＲ）及び纎維強化プラスチック（ｆｉｂｅｒ  ｒｅｉｎｆｏｒｃｅｄ  ｐｌａｓｔｉｃ：ＦＲＰ）などからなる群から選択されるいずれか１種からなることができる。
【０１５８】
また、基板７１０は５μｍ〜２００μｍの厚さを有する。基板７１０が５μｍ未満の厚さを有すれば、基板７１０が有機発光素子８１０を安定的に支持しにくい。一方、基板７１０が２００μｍ以上の厚さを有する場合、基板７１０のフレキシブルな特性が低下することがある。
【０１５９】
基板７１０上にバッファー層７２０が配置される。バッファー層７２０は不純元素の浸透を防止するとともに表面を平坦化する役割をするものであり、このような役割を果たすことができる多様な物質から形成されることができる。例えば、バッファー層７２０は窒化珪素（ＳｉＮｘ）膜、酸化珪素（ＳｉＯ２）膜、酸窒化珪素（ＳｉＯｘＮｙ）膜のいずれか１種からなることができる。しかし、バッファー層７２０は必ずしも必要なものではなく、基板７１０の種類及び工程条件によって省略することもできる。
【０１６０】
バッファー層７２０上にスイッチング半導体層７３１及び駆動半導体層７３２が配置される。スイッチング半導体層７３１及び駆動半導体層７３２は多結晶珪素膜、非晶質珪素膜、及びＩＧＺＯ（Ｉｎｄｉｕｍ−Ｇａｌｕｉｍ−Ｚｉｎｃ  Ｏｘｉｄｅ）、ＩＺＴＯ（Ｉｎｄｉｕｍ  Ｚｉｎｃ  Ｔｉｎ  Ｏｘｉｄｅ）のような酸化物半導体のいずれか１種から形成されることができる。例えば、駆動半導体層７３２が多結晶珪素膜からなる場合、駆動半導体層７３２は、不純物がドープされていないチャネル領域と、チャネル領域の両側にｐ＋でドープされて形成されたソース領域及びドレイン領域とを含む。ここで、ドープされるイオン物質はホウ素（Ｂ）のようなＰ型不純物であり、主にＢ２Ｈ６が使われる。このような不純物は薄膜トランジスタの種類によって違う。本発明の一実施形態では駆動薄膜トランジスタとしてＰ型不純物を使ったＰＭＯＳ構造の薄膜トランジスタを使ったが、駆動薄膜トランジスタがこれに限定されるものではない。したがって、駆動薄膜トランジスタとしてＮＭＯＳ構造又はＣＭＯＳ構造の薄膜トランジスタのいずれも使うことができる。
【０１６１】
スイッチング半導体層７３１及び駆動半導体層７３２上にゲート絶縁膜７４０が配置される。ゲート絶縁膜７４０はテトラエトキシシラン（Ｔｅｔｒａ  Ｅｔｈｙｌ  Ｏｒｔｈｏ  Ｓｉｌｉｃａｔｅ、ＴＥＯＳ）、窒化珪素（ＳｉＮｘ）及び酸化珪素（ＳｉＯ２）の少なくとも１種を含むことができる。一例として、ゲート絶縁膜７４０は４０ｎｍの厚さを有する窒化珪素膜と８０ｎｍの厚さを有するテトラエトキシシラン膜が順次積層された二重膜構造を有することができる。
【０１６２】
ゲート絶縁膜７４０上にゲート電極７５２、７５５を含むゲート配線が配置される。ゲート配線は、ゲートライン７５１、第１蓄電板７５８及びその他の配線をさらに含む。そして、ゲート電極７５２、７５５は半導体層７３１、７３２の少なくとも一部、特にチャネル領域と重畳するように配置される。ゲート電極７５２、７５５は、半導体層７３１、７３２の形成過程で半導体層７３１、７３２のソース領域とドレイン領域に不純物がドープされるときにチャネル領域に不純物がドープされることを遮断する役割をする。
【０１６３】
ゲート電極７５２、７５５と第１蓄電板７５８は同じ層に配置され、実質的に同じ金属からなる。ゲート電極７５２、７５５と第１蓄電板７５８は、モリブデン（Ｍｏ）、クロム（Ｃｒ）、及びタングステン（Ｗ）の少なくとも１種を含むことができる。
【０１６４】
ゲート絶縁膜７４０上にはゲート電極７５２、７５５を覆う層間絶縁膜７６０が配置される。層間絶縁膜７６０は、ゲート絶縁膜７４０と同様に、窒化珪素（ＳｉＮｘ）、酸化珪素（ＳｉＯｘ）又はテトラエトキシシラン（ＴＥＯＳ）などから形成されることができるが、これに限定されるものではない。
【０１６５】
層間絶縁膜７６０上にはソース電極７７３、７７６及びドレイン電極７７４、７７７を含むデータ配線が配置される。データ配線は、データライン７７１、共通電源ライン７７２、第２蓄電板７７８及びその他の配線をさらに含む。そして、ソース電極７７３、７７６及びドレイン電極７７４、７７７はゲート絶縁膜７４０及び層間絶縁膜７６０に形成されたコンタクトホールを介して半導体層７３１、７３２のソース領域及びドレイン領域とそれぞれ連結される。
【０１６６】
このように、スイッチング薄膜トランジスタは、スイッチング半導体層７３１、スイッチングゲート電極７５２、スイッチングソース電極７７３及びスイッチングドレイン電極７７４を含み、駆動薄膜トランジスタは、駆動半導体層７３２、駆動ゲート電極７５５、駆動ソース電極７７６及び駆動ドレイン電極７７７を含む。薄膜トランジスタの構成は前述した例に限定されず、当該技術分野の専門家が容易に実施することができる公知の構成に多様に変形可能である。
【０１６７】
また、蓄電素子は層間絶縁膜７６０を挟んで配置された第１蓄電板７５８と第２蓄電板７７８を含む。
【０１６８】
スイッチング薄膜トランジスタは発光させようとする画素を選択するスイッチング素子として使われる。スイッチングゲート電極７５２はゲートライン７５１に連結される。スイッチングソース電極７７３はデータライン７７１に連結される。スイッチングドレイン電極７７４はスイッチングソース電極７７３から離隔して配置され、第１蓄電板７５８と連結される。
【０１６９】
駆動薄膜トランジスタは選択された画素内の有機発光素子８１０の発光層８１２を発光させるための駆動電源を画素電極８１１に印加する。駆動ゲート電極７５５は第１蓄電板７５８と連結される。駆動ソース電極７７６及び第２蓄電板７７８はそれぞれ共通電源ライン７７２と連結される。駆動ドレイン電極７７７はコンタクトホールを介して有機発光素子８１０の画素電極８１１と連結される。
【０１７０】
このような構造により、スイッチング薄膜トランジスタはゲートライン７５１に印加されるゲート電圧によって作動し、データライン７７１に印加されるデータ電圧を駆動薄膜トランジスタに伝達する役割をする。共通電源ライン７７２から駆動薄膜トランジスタに印加される共通電圧とスイッチング薄膜トランジスタから伝達されたデータ電圧の差に相当する電圧が蓄電素子に保存され、蓄電素子に保存された電圧に対応する電流が駆動薄膜トランジスタを介して有機発光素子８１０に流れることによって有機発光素子８１０が発光するようになる。
【０１７１】
層間絶縁膜７６０上に配置されたデータライン７７１、共通電源ライン７７２、ソース電極７７３、７７６及びドレイン電極７７４、７７７、第２蓄電板７７８などのように同一層にパターンされたデータ配線を覆う平坦化膜７６５が配置される。
【０１７２】
平坦化膜７６５は、その上に形成される有機発光素子８１０の発光効率を高めるために、段差を無くして平坦化させる役割をする。平坦化膜７６５は、ポリアクリル系樹脂（ｐｏｌｙａｃｒｙｌａｔｅｓ  ｒｅｓｉｎ）、エポキシ樹脂（ｅｐｏｘｙ  ｒｅｓｉｎ）、フェノール樹脂（ｐｈｅｎｏｌｉｃ  ｒｅｓｉｎ）、ポリアミド系樹脂（ｐｏｌｙａｍｉｄｅｓ  ｒｅｓｉｎ）、ポリイミド系樹脂（ｐｏｌｙｉｍｉｄｅｓ  ｒｅｉｎ）、不飽和ポリエステル系樹脂（ｕｎｓａｔｕｒａｔｅｄ  ｐｏｌｙｅｓｔｅｒｓ  ｒｅｓｉｎ）、ポリフェニレン系樹脂（ｐｏｌｙｐｈｅｎｙｌｅｎｅｔｈｅｒｓ  ｒｅｓｉｎ）、ポリフェニレンスルフィド系樹脂（ｐｏｌｙｐｈｅｎｙｌｅｎｅｓｕｌｆｉｄｅｓ  ｒｅｓｉｎ）、及びベンゾシクロブテン（ｂｅｎｚｏｃｙｃｌｏｂｕｔｅｎｅ、ＢＣＢ）の１種以上の物質からなることができる。
【０１７３】
平坦化膜７６５上に有機発光素子８１０の画素電極８１１が配置される。画素電極８１１は平坦化膜７６５に形成されたコンタクトホールを介してドレイン電極７７７と連結される。
【０１７４】
平坦化膜７６５上に画素電極８１１の少なくとも一部を露出させて画素領域を定義する画素定義膜７９０が配置される。画素電極８１１は画素定義膜７９０の画素領域に対応するように配置される。画素定義膜７９０はポリアクリル系樹脂（ｐｏｌｙａｃｒｙｌａｔｅｓ  ｒｅｓｉｎ）、ポリイミド系樹脂（ｐｏｌｙｉｍｉｄｅｓ  ｒｅｓｉｎ）などの樹脂からなることができる。
【０１７５】
画素領域内の画素電極８１１上に発光層８１２が配置され、画素定義膜７９０及び発光層８１２上に共通電極８１３が配置される。発光層８１２は低分子有機物又は高分子有機物からなる。画素電極８１１と発光層８１２の間に正孔注入層（Ｈｏｌｅ  Ｉｎｊｅｃｔｉｏｎ  Ｌａｙｅｒ、ＨＩＬ）及び正孔輸送層（Ｈｏｌｅ  Ｔｒａｎｓｐｏｒｔｉｎｇ  Ｌａｙｅｒ、ＨＴＬ）の少なくとも一つがさらに配置されることができ、発光層８１２と共通電極８１３の間に電子輸送層（Ｅｌｅｃｔｒｏｎ  Ｔｒａｎｓｐｏｒｔｉｎｇ  Ｌａｙｅｒ、ＥＴＬ）及び電子注入層（Ｅｌｅｃｔｒｏｎ  Ｉｎｊｅｃｔｉｏｎ  Ｌａｙｅｒ、ＥＩＬ）の少なくとも一つがさらに配置されることができる。
【０１７６】
画素電極８１１及び共通電極８１３は透過型電極、半透過型電極及び反射型電極のいずれか一つから形成されることができる。
【０１７７】
透過型電極の形成のために、透明導電性酸化物（ＴＣＯ；Ｔｒａｎｓｐａｒｅｎｔ  Ｃｏｎｄｕｃｔｉｖｅ  Ｏｘｉｄｅ）を使うことができる。透明な導電性酸化物（ＴＣＯ）としては、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＺｎＯ（酸化亜鉛）又はＩｎ２Ｏ３（Ｉｎｄｉｕｍ  Ｏｘｉｄｅ）などがある。
【０１７８】
半透過型電極及び反射型電極の形成のために、マグネシウム（Ｍｇ）、銀（Ａｇ）、金（Ａｕ）、カルシウム（Ｃａ）、リチウム（Ｌｉ）、クロム（Ｃｒ）、アルミニウム（Ａｌ）、銅（Ｃｕ）のような金属又はこれらの合金を使うことができる。ここで、半透過型電極と反射型電極は厚さによって決定される。一般に、半透過型電極は約２００ｎｍ以下の厚さを有し、反射型電極は３００ｎｍ以上の厚さを有する。半透過型電極は厚さが薄くなるほど光の透過率が高くなるが抵抗が高くなり、厚さが厚くなるほど光の透過率が低下する。
【０１７９】
また、半透過型及び反射型電極は金属又は金属の合金からなった金属層と金属層上に積層された透明導電性酸化物（ＴＣＯ）層を含む多層構造に形成されることができる。
【０１８０】
共通電極８１３上に封止層８５０が配置される。封止層８５０は、一つ以上の無機膜８５１、８５３及び一つ以上の有機膜８５２を含む。また、封止層８５０は無機膜８５１、８５３と有機膜８５２が交互に積層された構造を有する。ここで、無機膜８５１が最下部に配置される。すなわち、無機膜８５１が有機発光素子８１０に一番近く配置される。
【０１８１】
封止層８５０は二つの無機膜８５１、８５３と一つの有機膜８５２を含んでいるが、本発明の一実施形態がこれに限定されるものではない。
【０１８２】
無機膜８５１、または無機膜８５３は、Ａｌ２Ｏ３、ＴｉＯ２、ＺｒＯ、ＳｉＯ２、ＡｌＯＮ、ＡｌＮ、ＳｉＯＮ、Ｓｉ３Ｎ４、ＺｎＯ、及びＴａ２Ｏ５の１種以上の無機物を含んでなる。無機膜８５１、８５３は化学気相蒸着法（ｃｈｅｍｉｃａｌ  ｖａｐｏｒ  ｄｅｐｏｓｉｔｉｏｎ、ＣＶＤ）又は原子層蒸着法（ａｔｏｍｉｃ  ｌａｙｅｒ  ｄｅｐｏｓｔｉｏｎ、ＡＬＤ）によって形成される。しかし、本発明の一実施形態がこれに限定されるものではなく、無機膜８５１、８５３は当該技術分野の当業者に公知となった多様な方法によって形成されることができる。
【０１８３】
有機膜８５２は高分子（ｐｏｌｙｍｅｒ）系の素材からなる。ここで、高分子系の素材は、アクリル系樹脂、エポキシ系樹脂、ポリイミド、及びポリエチレンなどを含む。また、有機膜８５２は熱蒸着工程によって形成される。そして、有機膜８５２を形成するための熱蒸着工程は有機発光素子８１０を損傷させない温度範囲内で進行される。しかし、本発明の一実施形態がこれに限定されるものではなく、有機膜８５２は当該技術分野の当業者に公知となった多様な方法で形成されることができる。
【０１８４】
薄膜の密度が緻密に形成された無機膜８５１、８５３が主に水分又は酸素の浸透を抑制する。大部分の水分及び酸素は無機膜８５１、８５３によって有機発光素子８１０への浸透が遮断される。
【０１８５】
封止層８５０は１０μｍ以下の厚さで形成されることができる。よって、表示パネルの総厚さが非常に薄く形成されることができる。このように封止層８５０が適用されることにより、表示パネルのフレキシブルな特性が極大化することができる。
【０１８６】
基板７１０の下部には保護フィルム４００が配置される。保護フィルム４００は粘着剤（図示せず）を介して基板７１０の下部に付着されることができる。保護フィルム４００は表示パネルの強度を向上させ、表示パネルの損傷を防止する役割をすることができる。
【０１８７】
保護フィルム４００はフレキシブルなプラスチック物質からなることができる。また、保護フィルム４００はヤング率（Ｙｏｕｎｇ’ｓ  ｍｏｄｕｌｕｓ）によって多様な厚さを有することができる。本発明の一実施形態による保護フィルム４００は基板７１０と実質的に同じ形態を有することができる。
【０１８８】
図１９は本発明の実施形態による両眼分離型表示パネルの展開図である。
【０１８９】
図１９（ａ）に示したように、表示パネル２００は、平面部２１０及び平面部２１０の両側、例えば左右側又は上下側に配置された曲面部２２０を含む。図１９（ｂ）に示したように、一実施形態において、表示パネルは、平面部２１０及び平面部２１０の左右側及び上下側に配置された曲面部２２０を含むことができる。平面部２１０及び曲面部２２０はマトリックス状の複数の画素ＰＸを含む。
【０１９０】
図１９に示したように、本発明の一実施形態による表示パネル２００は、曲面部２２０の解像度が平面部２１０の解像度より高い。ここで、解像度は単位面積又は単位長さ当たり画素ＰＸの数を意味し得る。よって、曲面部２２０にはピクセルがより密集している。
【０１９１】
本発明の一実施形態によると、曲面部２２０の左右方向への解像度（左右方向への単位長さ当たり画素ＰＸの数）が平面部２１０の解像度より高い。また、本発明の一実施形態によると、曲面部２２０の上下方向への解像度（上下方向の単位長さ当たり画素ＰＸの数）が平面部２１０の解像度より高い。
【０１９２】
平面部２１０の解像度（Ｒ１）に対する曲面部２２０の解像度（Ｒ２）の比率Ｒ２／Ｒ１は図４〜図８を参照して説明した映像縮小比率の逆数に相当する。すなわち、解像度が高いほど表示される映像が次第に縮小する。よって、解像度の比率Ｒ２／Ｒ１についての具体的説明は省略する。
【０１９３】
一方、図１７及び図１８を参照して説明したように、表示パネル２００は、例えば左右方向に伸びるゲートライン７５１と、上下方向に伸びるデータライン７７１とを含むことができる。一つの画素はいずれか一つのゲートライン７５１及びいずれか一つのデータライン７７１によって連結され、これらのライン７５１、７７１によって定義されることができる。
【０１９４】
一実施形態において、図１９（ａ）に示した表示パネル２００の左右曲面部２２０において上下方向に平行に伸びたデータライン７７１間の間隔は平面部２１０から遠くなるほど減少する。よって、曲面部２２０に表示される映像は平面部２１０から遠くなるほど左右方向に次第に縮小する。
【０１９５】
一実施形態において、図１９（ａ）に示した表示パネル２００の左右曲面部２２０において左右方向に伸びたゲートライン７５１間の間隔は平面部２１０から遠くなるほど減少する。よって、平面部２１０の中央（視点４２０に一番近い地点）を通るゲートライン７５１は曲面部２２０においても直線状に伸びるが、平面部２１０の上下側を通るゲートライン７５１は曲面部２２０において平面部２１０から遠くなるほど中央を通るゲートライン７５１側に曲がることができる。よって、曲面部２２０に表示される映像は平面部２１０から遠くなるほど上下方向に次第に縮小する。
【０１９６】
一方、図１９（ｂ）に示した上下側の曲面部２２０に配置されたゲートライン７５１とデータライン７７１はそれぞれ左右側曲面部２２０に配置されたデータライン７７１とゲートライン７５１と同様に配置される。
【０１９７】
すなわち、上下曲面部２２０において左右方向に平行に伸びたゲートライン７５１間の間隔が平面部２１０から遠くなるほど減少する。また、上下側曲面部２２０において上下方向に伸びたデータライン７７１間の間隔は平面部２１０から遠くなるほど減少する。よって、平面部２１０の中央（視点４２０に一番近い地点）を通るデータライン７７１は曲面部２２０においても直線状に伸びるが、平面部２１０の左右側を通るデータライン７７１は曲面部２２０において平面部２１０から遠くなるほど中央を通るデータライン７７１側に曲がることができる。
【０１９８】
また、前述したように、ゲートライン７５１間の間隔及びデータライン７７１間の間隔が減少するほど、画素ＰＸの面積も減少することができる。すなわち、曲面部２２０に配置された画素ＰＸはその位置が平面部２１０から遠くなるほど面積が減少することができる。
【０１９９】
したがって、本実施形態によると、制御部３０による映像変換（部分的縮小）なしに曲面部２２０に縮小した映像を表示することができる。
【０２００】
一方、図１９に示した実施形態は両眼分離型表示パネルを例として挙げているが、前述した実施形態は両眼統合型表示パネルの左眼用表示領域及び右眼用表示領域にも適用することができる。
【０２０１】
以上、添付図面に基づいて本発明の一実施形態を説明したが、本発明が属する技術分野で通常の知識を有する者であれば本発明の技術的思想又は必須の特徴を変更しなくても他の具体的な形態に実施することができるというのが理解可能であろう。したがって、以上で記述した一実施形態は全ての面で例示的なもので、限定的なものではないことを理解しなければならない。
【符号の説明】
【０２０２】
１００    ケース部
２００    表示パネル
２１０    平面部
２２０    曲面部
２３０    仮想平面
２３１    等価領域
２４０    両眼分離型表示パネル
２７０、２８０    ドーム型表示パネル
３００    クッション部
３５０    ストラップ部
４００    光学系
【図１】
2019120929.tif 000016
【図２ａ】
2019120929.tif 000017
【図２ｂ】
2019120929.tif 000018
【図３】
2019120929.tif 000019
【図４】
2019120929.tif 000020
【図５ａ】
2019120929.tif 000021
【図５ｂ】
2019120929.tif 000022
【図６】
2019120929.tif 000023
【図７】
2019120929.tif 000024
【図８】
2019120929.tif 000025
【図９】
2019120929.tif 000026
【図１０】
2019120929.tif 000027
【図１１】
2019120929.tif 000028
【図１２】
2019120929.tif 000029
【図１３ａ】
2019120929.tif 000030
【図１３ｂ】
2019120929.tif 000031
【図１３ｃ】
2019120929.tif 000032
【図１４】
2019120929.tif 000033
【図１５ａ】
2019120929.tif 000034
【図１５ｂ】
2019120929.tif 000035
【図１６】
2019120929.tif 000036
【図１７】
2019120929.tif 000037
【図１８】
2019120929.tif 000038
【図１９】
2019120929.tif 000039